(57)【特許請求の範囲】
【請求項１】
通信先の情報処理端末を操作する操作者の状態のデータを受信する受信手段と、
前記受信手段が受信した前記状態のデータと温度との対応を定めた制御テーブルを記憶した記憶部と、
前記受信手段で受信した前記状態のデータを用いて、前記通信先の情報処理端末を操作する操作者の状態を、前記制御テーブルで定めた温度で伝達する伝達手段と、
を有する情報処理端末。
【請求項２】
操作者の状態を検出する検出手段と、
前記検出手段で検出した状態のデータを通信先の情報処理端末に送信する送信手段と、
をさらに有する請求項１に記載の情報処理端末。
【請求項３】
音声、文字データ、または画像データの送受信を繰り返すにあたり、当該送受信を繰り返す間、前記検出手段による検出、前記送信手段による前記データの送信、前記受信手段による前記データの受信、および前記伝達手段による状態の伝達を繰り返し行って、前記操作者の状態の変化を伝達する
請求項２に記載の情報処理端末。
【請求項４】
操作者の操作に応じてデータを入力する入力手段、
を更に有し、
前記検出手段は、前記入力手段で入力したデータから操作者の状態を判定する判定手段と、前記判定手段により判定された状態のデータを作成する作成手段と、を含む請求項１〜３に記載の情報処理端末。
【請求項５】
前記操作者の状態とは、前記操作者のバイタルの状態、または、前記操作者の精神の状態である、請求項１〜４のいずれか一項に記載の情報処理端末。
【発明の詳細な説明】
【技術分野】
【０００１】
本発明の実施形態は、情報処理端末に関する。
【背景技術】
【０００２】
従来、複数の通信者間でコミュニケーションを取る通信システムとして、複数の電話機間で通話する電話システムや、複数の通信端末間でリアルタイムに通信を行って、各端末のディスプレイに文章や絵を表示するチャットシステムなどが知られている。
【発明の概要】
【発明が解決しようとする課題】
【０００３】
しかしながら、従来の通信システムにあっては、ディスプレイに表示される文字などの画像や通話による音声以外の方法により、通信者の状態（バイタルの状態や、精神の状態など）を相手の通信者に伝達することは困難であるなどの課題がある。
【課題を解決するための手段】
【０００４】
本実施形態の情報処理端末は、受信手段と、記憶部と、伝達手段とを有する。受信手段は、通信先の情報処理端末を操作する操作者の状態のデータを受信する。記憶部は、前記受信手段が受信した前記状態のデータと温度との対応を定めた制御テーブルを記憶する。伝達手段は、前記受信手段で受信した前記状態のデータを用いて、前記通信先の情報処理端末を操作する操作者の状態を、前記制御テーブルで定めた温度で伝達する。
【図面の簡単な説明】
【０００５】
【図１】図１は、本実施形態の情報処理端末が適用される通信システムの一構成例を示す概要図である。
【図２】図２は、本実施形態の情報処理端末の概略的な外観構成を示す斜視図である。
【図３】図３は、第１の実施形態の情報処理端末の概略的なハードウェア構成を示す図である。
【図４】図４は、第１の実施形態の情報処理端末の機能的構成を示すブロック図である。
【図５】図５は、操作者が手書き文字を入力する様子および把持部が発熱している様子を示す情報処理端末の正面図である。
【図６】図６は、制御テーブルの一構成例を示す図である。
【図７】図７は、複数の情報処理端末間で行われるチャット通信の処理の流れを示すシーケンス図である。
【図８】図８は、情報処理端末のデータ送信時の処理手順を示すフローチャートである。
【図９】図９は、情報処理端末のデータ受信時の処理手順を示すフローチャートである。
【図１０】図１０は、第２の実施形態の情報処理端末の概略的なハードウェア構成を示す図である。
【図１１】図１１は、情報処理端末の機能的構成を示すブロック図である。
【図１２】図１２は、情報処理端末の記憶部に記憶されている制御テーブルの一構成例を示す図である。
【図１３】図１３は、情報処理端末のデータ送信時の処理手順を示すフローチャートである。
【発明を実施するための形態】
【０００６】
以下、実施形態について添付図面を参照して説明する。
【０００７】
なお、本実施形態の情報処理端末は、概略的には、ディスプレイに表示される文字などの画像や通話による音声以外の方法により、通信者の状態（バイタルの状態や、精神の状態など）を相手の通信者に伝達することを可能とした情報処理端末であるが、以下では、熱（発熱または冷却）により通信者の状態を伝達することが可能な情報処理端末の場合について説明する。
【０００８】
（第１の実施形態）
図１は、本実施形態の情報処理端末が適用される通信システムの一構成例を説明するための概要図である。
【０００９】
図１に示すように、この通信システム１では、複数の情報処理端末２と、サーバ装置３とを備え、それらがネットワーク４を介して相互に通信可能に接続されている。
【００１０】
情報処理端末２は、熱（発熱および冷却）により通信相手先の情報処理端末２を使用する操作者の状態（バイタルの状態や、精神の状態など）を伝達する機能を有する端末である。
【００１１】
なお、図１の例では、情報処理端末２Ａが、病院などに入院している患者（例えば、独身会社員など）が使用する端末であり、情報処理端末２Ｂが、前記患者の関係者（例えば、恋人など）が使用する端末である。
【００１２】
サーバ装置３は、複数の情報処理端末間（例えば、情報処理端末２Ａと情報処理端末２Ｂ）の通信を接続するサービスを提供するコンピュータである。
【００１３】
ネットワーク４は、インターネットなどのネットワークであり、ルータなどの各種通信接続機器（不図示）が含まれている。
【００１４】
図２は、本実施形態の情報処理端末２の概略的な外観構成を説明するための斜視図である。
【００１５】
図２に示すように、情報処理端末２は、携帯型の端末であり、薄板状の本体ハウジング２０を有している。そして、本体ハウジング２０の正面側には、チャットで使用する手書き文字や画像を表示するディスプレイ５と、そのディスプレイ５に積層されるタッチパネル６とが設けられ、一方、本体ハウジング２０の一側面（上面）には、装置の電源をオン／オフするための電源ボタン７が設けられている。
【００１６】
また、本体ハウジング２０の左右の両側端寄りには、操作者が把持する把持部８、９が設けられている。なお、各把持部８、９は、後述の状態伝達部１７（図３参照）により発熱または冷却する部分となっている。
【００１７】
図３は、情報処理端末２の概略的なハードウェア構成を説明するための図である。
【００１８】
図３に示すように、この情報処理端末２は、例えば、ＣＰＵ（Ｃｅｎｔｒａｌ  Ｐｒｏｃｅｓｓｉｎｇ  Ｕｎｉｔ）１０と、このＣＰＵ１０とバスラインＢＬ１を介して接続されるＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、記憶部１３、入力表示部１５、状態検出部１６、状態伝達部１７および通信Ｉ／Ｆ部１４と、それら各負荷部に電力を供給する電力供給部１８などを備えている。
【００１９】
ここで、ＣＰＵ１０は、コンピュータ全体の制御、即ち、各種演算や各構成要素部に対する各種処理を制御する。
【００２０】
ＲＯＭ１１は、後述のフローチャートにおける処理手順を実行する処理プログラムＰ１などの各種プログラムや、それら各種プログラムで使用される各種データなどのファイルを記憶する。
【００２１】
ＲＡＭ１２は、入力データや表示データなどの作業中のデータや、コンピュータの起動時にＲＯＭ１１から読み出されたプログラムなどを一時的に記憶する。
【００２２】
記憶部１３は、フラッシュメモリなどで構成され、電源が遮断されても保持する必要があるデータ（例えば、後述の状態伝達制御テーブルＴなど）を記憶するものである。
【００２３】
通信Ｉ／Ｆ部１４は、周知の通信インタフェース回路（不図示）などで構成される通信インタフェース部であり、無線または有線によりネットワーク４を介して後述の画像データや状態データなどの各種データの送受信を行うものである。
【００２４】
入力表示部１５は、前記したディスプレイ５と、そのディスプレイ５における各種情報の表示を制御する表示コントローラ（不図示）と、前記したタッチパネル６と、そのタッチパネル６からの操作信号の入力を制御する入力コントローラ（不図示）などを有している。なお、ディスプレイ５としては、例えば、ＬＣＤ（Ｌｉｑｕｉｄ  Ｃｒｙｓｔａｌ  Ｄｉｓｐｌａｙ）を採用する。
【００２５】
状態検出部１６は、この情報処理端末２を操作する操作者の状態を検出するものであるが、本実施形態では、操作者の脈を検知することができる脈センサ１６ａと、その脈センサ１６ａを制御するセンサコントローラ（不図示）を備え、その脈センサ１６ａにより操作者の脈を検出するものである。なお、状態検出部（脈センサ１６ａ）１６は、例えば、各把持部８、９に取り付けられ、各把持部８、９を把持する操作者の手から当該操作者の状態（脈など）を検出する。
【００２６】
状態伝達部１７は、他の情報処理端末２を操作する操作者の状態を伝達するものであり、本実施形態では、把持部８、９を発熱することができる発熱器１７ａと、その発熱器１７ａの発熱を制御する発熱コントローラ（不図示）と、把持部８、９を冷却することができる冷却器１７ｂと、その冷却器１７ｂの冷却を制御する冷却コントローラ（不図示）とを備え、発熱器１７ａおよび冷却器１７ｂにより把持部８、９を発熱または冷却することで、通信相手先の操作者の状態（高揚状態や、落胆状態など）を自端末を操作する操作者に伝達するものである。
【００２７】
電力供給部１８は、前記した各負荷部１０〜１７に必要な電力を供給するための電源部であり、例えば、不図示のバッテリ収容口に対して着脱可能な蓄電池（バッテリ）１９ａと、蓄電池１８ａからの電源供給を制御する電源コントローラ（不図示）などを有している。
【００２８】
図４は、ＣＰＵ１０がＲＯＭ１１などの記憶部に記憶されている処理プログラムＰ１を、ＲＡＭ１２上に展開して実行することにより実現される情報処理端末２の機能的構成（即ち、ソフトウェア構成）を説明するためのブロック図である。
【００２９】
図４に示すように、情報処理端末２は、機能的構成として、入力処理部１１０、表示処理部１２０、状態検出処理部１３０、データ送受信部１４０、状態伝達処理部１５０などを有している。
【００３０】
ここで、入力処理部１１０は、タッチパネル６および入力コントローラ（不図示）を介して操作者の指またはタッチペンなどの軌跡を示す座標データを入力する処理を行うものである。
【００３１】
表示処理部１２０は、入力処理部１１０で入力した座標データに基づいて、ディスプレイ５に操作者の指またはタッチペンなどの軌跡の画像（即ち、手書き文字または手書きの絵など）を（図５参照）表示する処理を行うとともに、前記軌跡の画像を示す画像データをデータ送受信部１４０に出力する処理を行うものである。
【００３２】
図５は、操作者が手書き文字を入力する様子および把持部８、９が発熱している様子を説明するための情報処理端末２の正面図である。
【００３３】
図５に示すように、本実施形態の情報処理端末２では、操作者はタッチパネル６上を指やタッチペンなどでなぞることで所望の手書き文字や手書きの絵を入力することができるようになっている。なお、この例では、ディスプレイ５に「消しゴム」アイコン６１が表示されており、操作者は、この「消しゴム」アイコンを用いてディスプレイ５に表示されている文字や絵を削除することが可能となっている。
【００３４】
図４に戻って、状態検出処理部１３０は、状態検出部１６を用いて操作者の状態を検出する処理を行うものである。具体的には、この状態検出処理部１３０は、一定時間経過毎に、把持部８、９を把持する操作者の脈を脈センサ１６ａによって検出し、該検出した脈を示す状態データを作成してデータ送受信部１４０に出力する。
【００３５】
データ送受信部１４０は、通信Ｉ／Ｆ部１４を介して各種データの送受信を行うものである。具体的には、データ送受信部１４０は、表示処理部１２０または状態検出処理部１３０から入力した画像データまたは状態データを送信したり、通信相手先となる他の情報処理端末２から送信された画像データまたは状態データを受信したりする。
【００３６】
状態伝達処理部１５０は、データ送受信部１４０を介して通信相手先となる他の情報処理端末２から受信した状態データを基に、状態伝達部１７を用いて通信相手先の他の情報処理端末２を操作する操作者の状態を伝達する処理を行うものである。具体的には、この状態伝達処理部１５０は、受信した状態データで特定される操作者の状態を示すデータと、記憶部１３に記憶されている制御テーブルＴ１（図６参照）の設定情報とから、伝達動作の種別を決定し、該決定された種別の伝達動作を行う。
【００３７】
図６は、制御テーブルＴ１の一構成例を説明するための図である。
【００３８】
図６に示すように、この制御テーブルＴ１は、受信した状態データに応じて状態伝達部１７の伝達動作の種別を決定するためのものであり、状態データとしての脈データの範囲を設定する範囲情報と、その範囲情報毎に対応付けて設定される状態伝達部１７の伝達動作の種別を示す情報とを登録する。
【００３９】
なお、図６の例では、脈データの範囲情報「５０（ｂｐｍ）以下」に伝達動作の種別情報「低熱（１５℃）伝達」が対応付けられ、一方、脈データの範囲情報「５０（ｂｐｍ）〜７０（ｂｐｍ）」に伝達動作の種別情報「標準熱（３６℃）伝達」が対応付けられ、一方、脈データの範囲情報「７０（ｂｐｍ）以上」に伝達動作の種別情報「高熱（４０℃）伝達」が対応付けられている。
【００４０】
なお、本実施形態では、「低熱（１５℃）伝達」とは、把持部８、９が、「略１０度」になるように冷却器１７ｂを駆動する動作のことであり、一方、「標準熱（３６℃）伝達」とは、把持部８、９が、「略３６度（平均的な体温と同じ温度）」になるように発熱器１７ａ（場合によっては冷却器１７ｂも）を駆動する動作のことであり、更に一方、「高熱（４０℃）伝達」とは、把持部８、９が、「略４０度」になるように発熱器１７ａを駆動する動作のことである。
【００４１】
次に、前記した構成の通信システム１における各種処理動作について図７〜図９を用いて説明する。
【００４２】
図７は、通信システム１において情報処理端末２Ａと情報処理端末２Ｂとの間で行われるチャット通信の処理の流れを説明するためのシーケンス図である。
【００４３】
図７に示すように、このシーケンスでは、まず、情報処理端末２Ａを操作する操作者Ａが、電源ボタン７を押下して端末の電源をオンにした場合や、ディスプレイ５に表示される通信開始ボタンアイコンをタッチパネル６を介して選択操作した場合に、情報処理端末２Ａが、サーバ装置３に接続要求を行う（ステップＳ１）。
【００４４】
すると、サーバ装置３が、通信する端末同士を示す登録情報に基づいて、該当する通信相手先の情報処理端末２Ｂを呼び出し、自動応答を経て情報処理端末２Ａと情報処理端末２Ｂとの間を通信接続する（ステップＳ２）。
【００４５】
その後、情報処理端末２Ａと情報処理端末２Ｂとの間のチャット通信が終了するまで、情報処理端末２Ａと情報処理端末２Ｂとの間で、画像データおよび状態データの作成および送受信が繰り返し行われる（ステップＳ３、４）。
【００４６】
図８は、情報処理端末２のデータ送信時の処理手順を説明するためのフローチャートである。
【００４７】
図８に示すように、この処理では、操作者による電源ボタン７が操作されて情報処理端末２の電源がオンされ、操作者により電源ボタン７が操作されて電源がオフされるまでの間、ステップＳ１〜ステップＳ４の処理を繰り返し実行する。
【００４８】
即ち、ステップＳ１では、操作者が指やタッチペンなどでタッチパネル６上をなぞると、入力処理部１１０がなぞられた軌跡の座標データを作成して表示処理部１２０に出力する。
【００４９】
続くステップＳ２では、表示処理部１２０が、入力した座標データに基づいてディスプレイ５に軌跡画像（操作者により手書きされた手書き文字や手書きの絵など）を表示させるとともに、軌跡画像を示す画像データをデータ送受信部１４０に出力する。
【００５０】
続くステップＳ３では、状態検出処理部１３０が、脈センサ１６ａを用いて操作者の状態である脈を検知し、該検知した脈を示す状態データを作成してデータ送受信部１４０に出力する。
【００５１】
続くステップＳ４では、データ送受信部１４０が、入力した画像データおよび状態データを送信する。
【００５２】
図９は、情報処理端末２のデータ受信時の処理手順を説明するためのフローチャートである。
【００５３】
図９に示すように、この処理では、操作者による電源ボタン７が操作されて情報処理端末２の電源がオンされ、操作者により電源ボタン７が操作されて電源がオフされるまでの間、ステップＳ１１〜ステップＳ１３の処理を繰り返し実行する。
【００５４】
即ち、ステップＳ１１では、データ送受信部１４０が、通信相手先となる他の情報処理端末２から画像データおよび状態データを受信する。そして、データ送受信部１４０が、受信した画像データを表示処理部１２０に出力し、他方、受信した状態データを状態伝達処理部１５０に出力する。
【００５５】
続くステップＳ１２では、表示処理部１２０が、入力した画像データを用いてディスプレイ５に画像を表示する。
【００５６】
続くステップＳ１３では、状態伝達処理部１５０が、通信相手先の操作者の状態を伝達すべく、入力した状態データと、図６の制御テーブルＴ１の設定情報とに基づいて、状態伝達部１７の発熱器１７ａまたは冷却器１７ｂを駆動する。具体的には、ステップＳ１３の処理として、例えば、状態伝達処理部１５０が、受信した状態データを解析して通信相手先の操作者の脈が「７５」であると認識した場合、制御テーブルＴ１の設定情報と照らし合わせることで、伝達動作の種別として「高熱（４０℃）伝達」を選択する。そして、状態伝達処理部１５０は、把持部８、９が、略４０度となるように発熱器１７ａの発熱を制御する。
【００５７】
以上説明した実施形態によれば、ディスプレイに表示される画像や通話に加えて、ディスプレイに表示される画像や通話による音声以外の方法（熱など）により、通信者の状態（脈など）や状態の変化を通信相手に伝達することできる。また、それにより、通信者は、相手の存在（温もりなど）を強く感じることができる。
【００５８】
（第２の実施形態）
以下、第２の実施形態について図１０〜図１３を用いて説明する。
【００５９】
図１０は、第２の実施形態における情報処理端末２Ｘの概略的なハードウェア構成を説明するための図であり、図１１は、情報処理端末２Ｘの機能的構成を説明するためのブロック図であり、図１２は、情報処理端末２Ｘの記憶部１３に記憶されている制御テーブルＴ２の一構成例を説明するための図であり、図１３は、情報処理端末２Ｘのデータ送信時の処理手順を説明するためのフローチャートである。
【００６０】
なお、以下の説明では、第１の実施形態と同様の構成および処理については説明を省略する。
【００６１】
図１０に示すように、この情報処理端末２Ｘは、第１の実施形態の情報処理端末２のハードウェア構成（図３参照）と比較して、状態検出部１６Ｘの構成が相違している。即ち、この状態検出部１６Ｘは、脈センサ１６ａの代わりに、単語認識回路１６ｂを備えている。この単語認識回路１６ｂは、ＯＣＲ（Ｏｐｔｉｃａｌ  Ｃｈａｒａｃｔｅｒ  Ｒｅａｄｅｒ）などの周知の文字認識アルゴリズムを用いて、入力表示部１５で入力された手書き文字を認識し、認識した文字から予め設定されている所定の単語（「あいたい」や、「あいしてる」、「さみしい」、「ありがとう」など）を認識し、認識した単語から操作者の状態（感情など）を分析するものである。
【００６２】
また、図１１に示すように、この情報処理端末２Ｘは、第１の実施形態の情報処理端末２のソフトウェア構成（図４参照）と比較して、状態検出処理部１３０Ｘおよび状態伝達処理部１５０Ｘの処理動作が相違している。即ち、この状態検出処理部１３０Ｘは、状態判定部１３０ａを有しており、状態判定部１３０ａは、操作者により手書き入力された手書き文字を認識して所定の単語を特定し、該特定した単語から操作者の状態を判定する処理を行うものである。
【００６３】
図１２に示すように、この制御テーブルＴ２は、状態判定部１３０ａで判定された操作者の状態に応じて状態伝達部１７の伝達動作の種別を決定するためのものであり、操作者の状態としての感情を示す感情情報と、その感情情報毎に対応付けて設定される状態伝達部１７の伝達動作の種別を示す情報とを登録する。なお、図１２の例では、感情情報「悲しい」に伝達動作の種別情報「低熱（１５℃）伝達」が対応付けられ、一方、感情情報「普通」に伝達動作の種別情報「標準熱（３６℃）伝達」が対応付けられ、一方、感情情報「嬉しい」に伝達動作の種別情報「高熱（４０℃）伝達」が対応付けられている。
【００６４】
即ち、状態判定部１３０ａは、認識した単語が「さみしい」などの操作者の感情が「悲しい」状態であると想定される第１の単語であると判定した場合には、操作者の感情が悲しい状態であると判定する。また、状態判定部１３０は、認識した単語が「あいしてる」などの操作者の感情が「嬉しい」状態であると想定される第２の単語であると判定した場合には、操作者の感情が嬉しい状態であると判定する。更に、状態判定部１３０は、認識した単語が前記第１の単語および第２の単語以外の単語であると判定した場合には、操作者の感情が普通の状態であると判定する。
【００６５】
そして、状態検出処理部１３０Ｘは、前記したように状態判定部１３０ａが判定した操作者の状態（「悲しい」、「普通」、「嬉しい」などの感情）を示す状態データを入出力処理部１１０に出力する。
【００６６】
また、状態伝達処理部１５０Ｘは、データ送受信部１４０が通信相手先となる他の情報処理端末２から前記した操作者の「悲しい」、「普通」、「嬉しい」などの感情を示す状態データを受信した場合に、受信した状態データで特定される操作者の感情と、記憶部１３に記憶されている制御テーブルＴ２（図６参照）の設定情報とから、伝達動作の種別を決定し、該決定された種別の伝達動作を行う。
【００６７】
例えば、「悲しい」を示す状態データを受信した場合には、状態伝達処理部１５０Ｘは、制御テーブルＴ２から伝達動作の種別として「低熱（１５℃）伝達」を選択し、該選択した種別の伝達動作（即ち、把持部８、９が略１５度となるように冷却器１７ｂを駆動する。一方、「嬉しい」を示す状態データを受信した場合には、状態伝達処理部１５０Ｘは、制御テーブルＴ２から伝達動作の種別として「高熱（４０℃）伝達」を選択し、該選択した種別の伝達動作（即ち、把持部８、９が略４０度となるように発熱器１７ａを駆動する。更に、一方、「普通」を示す状態データを受信した場合には、状態伝達処理部１５０Ｘは、制御テーブルＴ２から伝達動作の種別として「標準熱（３６℃）伝達」を選択し、該選択した種別の伝達動作（即ち、把持部８、９が略３６度となるように発熱器１７ａまたは冷却器１７ｂを駆動する。
【００６８】
そして、図１３に示すデータ送信時の処理手順においては、図８のデータ送信時の処理手順と比較して、ステップＳ３の処理がステップＳ５となり、ステップＳ４の処理における状態データの作成処理が前記したような方法になっている点のみが異なるものである。なお、情報処理端末２Ｘのデータ受信時の処理手順は、図９に示すデータ受信時の処理手順とほぼ同様であり、ステップＳ１３の状態伝達処理が前記した方法になっている点のみが異なるものである。
【００６９】
以上説明した実施形態によれば、操作者のバイタルの状態を検出するための特別なセンサなどを設けなくても済むので端末を小型化または軽量化することができる。
【００７０】
以上、例示的な実施形態に基づいて説明したが、本実施形態は、前記した実施形態により限定されるものではない。
【００７１】
例えば、前記した実施形態では、操作者の状態として「脈」を検出する場合について説明したが、これに限定されず、その他のバイタルサイン（例えば、「体温」、「血圧」、「呼吸」など）を検出するようにしても良い。
【００７２】
また、前記した実施形態では、操作者の状態を伝達する手段として、発熱器および冷却器を用いる場合について説明したが、これに限定されず、その他の伝達手段を用いても良い。具体的には、例えば、発光体ダイオードなどの発光装置を用いて点滅や点灯を制御することにより、相手の状態の変化を伝達するようにしても良いし、ディスプレイ５に表示する相手の文字や絵の表示色を変更することで、相手の状態の変化を伝達するようにしても良いし、振動装置を用いて振動の種別（脈をまねた振動など）によって相手の状態の変化を伝達するようにしても良い。
【００７３】
また、前記した実施形態では、通信先の相手（操作者）の状態を伝達する部分として、把持部８、９を設け、情報処理端末２（２Ｘ）の左右端を発熱または冷却させる形態について説明したが、これに限定されず、情報処理端末２（２Ｘ）のどの部分を発熱または冷却させるようにしても良い。具体的には、タッチパネル６上全体に敷かれたシート状の透明性を有する熱伝達部材を用いて発熱または冷却するように構成しても良い。
【００７４】
また、前記した実施形態では、インターネットやサーバ装置を介して通信を行うシステムの場合について説明したが、これ以外にも、例えば、無線ＬＡＮ（Ｌｏｃａｌ  Ａｒｅａ  Ｎｅｔｗｏｒｋ）などの技術を用いて情報処理端末同士で直接通信を行うような形態とすることも可能である。
【００７５】
また、前記した情報処理端末で実行される処理プログラムＰ１、Ｐ２は、ＲＯＭなどの記憶部に予め組み込むように提供する以外にも、インストール可能な形式または実行可能な形式のファイルでコンピュータで読み取り可能な記憶媒体に記録して提供したり、インターネットなどのネットワーク経由で提供または配布するようにしたりすることも可能である。
【００７６】
その他、前記した実施形態における情報処理端末のハードウェア構成や、ソフトウェア構成や、操作者の状態を伝達する装置および方法や、処理手順などは、単なる一例として記載したものであり、本実施形態は、これらにより限定されない。
【符号の説明】
【００７７】
１  通信システム
２  情報処理端末
３  サーバ装置
４  ネットワーク
５  ディスプレイ（表示部）
６  タッチパネル
１１０  入力処理部（入力手段）
１２０  表示処理部
１３０、１３０Ｘ  状態検出処理部（検出手段、作成手段）
１４０  データ送受信部（受信手段、送信手段）
１５０、１５０Ｘ  状態伝達処理部（伝達手段）
１３０ｂ  状態判定部（判定手段）
【先行技術文献】
【特許文献】
【００７８】
【特許文献１】特開２００５−３１６９８２号公報
【図１】
0005149954.tif 000002
【図２】
0005149954.tif 000003
【図３】
0005149954.tif 000004
【図４】
0005149954.tif 000005
【図５】
0005149954.tif 000006
【図６】
0005149954.tif 000007
【図７】
0005149954.tif 000008
【図８】
0005149954.tif 000009
【図９】
0005149954.tif 000010
【図１０】
0005149954.tif 000011
【図１１】
0005149954.tif 000012
【図１２】
0005149954.tif 000013
【図１３】
0005149954.tif 000014